(57)【要約】【課題】  ユーティリティ事業の管理側にとって、有益な情報を容易に認識することができる表示方法を提供する。【解決手段】  配電ネットワーク作業者に配電ネットワーク運転に関する識見を与えるために配電ネットワーク（Ｎ）のグラフィック表示（ＳＤ）を提供する方法であって、ネットワークのセグメントは、所定の種類の発生する事故に関する情報を得るために監視され、情報は、事故の発生位置及び所定の時間に発生した数を把握するために処理され、結果は、ネットワークセグメント内の各位置で発生している事故の数及びそれぞれの位置で先の期間中に各位置で発生した事故の数を含めてグラフィカル表示に示される。【選択図】  図３−Ｂ
2005073492.tif 000002
【特許請求の範囲】
【請求項１】
配電ネットワーク作業者に配電ネットワーク運転に関する識見を与えるために配電ネットワーク情報のグラフィック表示を提供するための方法であって、
前記ネットワークのセグメント内の所定の性能特性に関する情報を取得すべく、前記セグメントを監視する監視過程と、
前記セグメントの異なる部分内の相対性能特性値を把握すべく、前記情報を処理する情報処理過程と、
観察者が前記セグメントの各部分で何が発生しているかを容易に把握でき、ネットワークセグメント内の運転が許容範囲にあるか否かを判断し、否であれば、問題がどこで生じているか、そして問題の大きさを判断することができるように、前記情報処理過程において処理された前記情報をグラフィック形式で表示する表示過程とを含むことを特徴とする方法。
【請求項２】
前記表示過程が、第１の軸が前記ネットワークセグメント内における位置を表し、第２の軸が性能特性の代表値を表し、第３の軸が時間を表すような３次元表示を含むことを特徴とする請求項１に記載の方法。
【請求項３】
前記表示過程が、第１の軸が前記ネットワークセグメント内における位置を表し、第２の軸が性能特性の代表値を表し、第３の軸が前記ネットワークセグメント内におけるサービス経路を表すような３次元表示を含むことを特徴とする請求項１に記載の方法。
【請求項４】
前記３次元表示が、前記ネットワークに関する最新情報と経歴情報の両方を含むような地形図状のグラフを含み、
前記地形図状のグラフが、前記ネットワーク内のサービスの質を監視しかつ向上させるのに使用されることを特徴とする請求項２に記載の方法。
【請求項５】
前記表示過程が、各表示が所与の時点における前記ネットワークに関する情報を含む地形図状のグラフを含むような複数の表示を更に含み、
前記地形図状のグラフが、前記ネットワーク内のサービスの質を監視しかつ向上させるのに使用されることを特徴とする請求項３に記載の方法。
【請求項６】
前記地形図状のグラフが動画ループをなし、
前記方法が、ネットワーク性能に関する情報を経時的に得るべくユーザが前記ループを動かす過程を更に含むことを特徴とする請求項５に記載の方法。
【請求項７】
前記監視過程が、前記ネットワークセグメント内の問題に関する顧客の苦情を数える過程を含むことを特徴とする請求項１に記載の方法。
【請求項８】
前記監視過程が、前記ネットワークセグメント内の停電発生数を数える過程を含むことを特徴とする請求項１に記載の方法。
【請求項９】
前記監視過程が、前記ネットワーク内のそれぞれの位置における線間電圧を測定する過程を含むことを特徴とする請求項８に記載の方法。
【請求項１０】
前記ネットワークセグメントに関する情報を取得するのに双方向ネットワーク通信システムを使用する過程を含むことを特徴とする請求項９に記載の方法。
【請求項１１】
前記配電ネットワークの複数のセグメントの別々のグラフィック表示を与える過程を更に含むことを特徴とする請求項１に記載の方法。
【請求項１２】
前記別々のグラフィック表示を作成するために使用された情報を結合し、ネットワーク全体をグラフィック表示する過程を更に含むことを特徴とする請求項１１に記載の方法。
【請求項１３】
前記情報処理過程において処理された情報をグラフィック形式で表示する表示過程において、前記情報が、示された情報の理解を容易にすることができるように色分けされた３次元表示を含むことを特徴とする請求項１に記載の方法。
【請求項１４】
前記表示を解釈するべく特定の位置及び／または特定の時間に発生した特定の種類の事故を認識するための記号を与える過程を更に含むことを特徴とする請求項１３に記載の方法。
【請求項１５】
地形図状のグラフの特定の特徴を容易に見ることができるように、前記３次元表示を任意の軸に対して回転させる過程を更に含むことを特徴とする請求項１３に記載の方法。
【請求項１６】
前記情報が２箇所以上の場所で表示され得るように、前記３次元表示が電子媒体により１つの場所から別の場所へ伝送可能であることを特徴とする請求項１３に記載の方法。
【請求項１７】
前記３次元表示を作成するのに使用される情報を電子的に記憶する過程を更に含むことを特徴とする請求項１３に記載の方法。
【請求項１８】
別の所定期間の情報を含むように前記３次元表示を定期的に更新する過程を更に含むことを特徴とする請求項１３に記載の方法。
【請求項１９】
配電ネットワーク作業者に配電ネットワーク運転に関する識見を与えるために配電ネットワーク情報のグラフィック表示を提供するための方法であって、
個々のセグメント内で発生する所定の種類の事故に関する情報を取得すべく、複数のネットワークセグメントを監視する監視過程と、
各セグメント内における事故の発生位置と所定期間中の事故の発生数とを把握すべく、前記情報を処理する情報処理過程と、
前記情報処理過程において処理された、各ネットワークセグメント内で発生している事故の数と、それが発生した前記セグメント内での各位置と、その位置での先の期間中に生じた事故の数とを含む結合された結果をグラフィック形式で表示する表示過程とを含むことを特徴とする方法。
【請求項２０】
前記表示過程が、第１の軸が前記ネットワークセグメント内における位置を表し、第２の軸が発生した事故の数を表し、第３の軸が時間を表すような３次元表示を含むことを特徴とする請求項１９に記載の方法。
【請求項２１】
前記表示過程が、第１の軸が前記ネットワークセグメント内における位置を表し、第２の軸が発生した事故の数を表し、第３の軸が前記ネットワークセグメント内におけるサービス経路を表すような３次元表示を含むことを特徴とする請求項１９に記載の方法。
【請求項２２】
前記３次元表示が、前記ネットワークに関する最新情報と経歴情報の両方を含むような地形図状のグラフを含み、
前記地形図状のグラフが、前記ネットワーク内のサービスの質を監視しかつ向上させるのに使用されることを特徴とする請求項２０に記載の方法。
【請求項２３】
前記表示過程が、各表示が所与の時点における前記ネットワークに関する情報を含む地形図状のグラフを含むような複数の表示を更に含み、
前記地形図状のグラフが、前記ネットワーク内のサービスの質を監視しかつ向上させるのに使用されることを特徴とする請求項２１に記載の方法。
【請求項２４】
前記地形図状のグラフが動画ループをなし、
前記方法が、ネットワーク性能に関する情報を得るべくユーザが前記ループを動かす過程を更に含むことを特徴とする請求項５に記載の方法。
【請求項２５】
前記情報処理過程において処理された情報をグラフィック形式で表示する表示過程において、前記情報が、示された情報の理解を容易にすることができるように色分けされた３次元表示を含むことを特徴とする請求項１９に記載の方法。
【請求項２６】
前記表示を解釈するべく特定の位置及び／または特定の時間に発生した特定の種類の事故を認識するための記号を与える過程を更に含むことを特徴とする請求項２５に記載の方法。
【請求項２７】
地形図状のグラフの特定の特徴を容易に見ることができるように、前記３次元表示を任意の軸に対して回転させる過程を更に含むことを特徴とする請求項２５に記載の方法。
【発明の詳細な説明】
【技術分野】
【０００１】
本発明は、電気・ガス・水道などのユーティリティ事業者が提供するネットワーク情報のグラフィック表示方法に関し、より詳しくは、ユーティリティ事業者の管理側にとって有益な情報を容易に認識することができる表示方法に関するものである。
【背景技術】
【０００２】
ユーティリティ事業者の一例として、電気事業者を例に挙げて説明する。電気事業者は、彼らの顧客に電力を供給するために、配電ネットワークを維持する。このネットワークは、例えば、発電所、変電所（発電所から送電された電力を、顧客の自宅、工場、または建物に送電する）、及び必要なインフラ基盤から成る。電力の配電は、通常は円滑に行われているが、様々な理由（電圧低下など）により停電が起こる。また、他の問題も発生する。
【０００３】
良質な顧客サービスを提供するためには、ユーティリティ事業者が配電ネットワークを監視し、何時何処で停電または他の問題が発生したかを判断し、それによってこれらの問題を迅速に復旧し、顧客サービスを回復することが可能である必要がある。その上、前記ネットワークの現状を監視することにより、ユーティリティ事業者はネットワーク上の経歴データを保存する。経歴データと現在の情報を適切に組み合わせると、ユーティリティ事業者は慢性的な問題が発生している位置を特定することができるので、その位置に対して措置を取り復旧させることが可能になる。自動検針装置（Automatic Meter Reader：ＡＭＲ）と、特定の位置に設置された電力監視装置と、及び他の器具と、双方向自動通信システム（Two-Way Automatic Communication System：ＴＷＡＣＳ（登録商標））とを使用して、瞬間的な停電、インバウンド及びアウトバウンドの信号強度測定、異なるトランスポンダポイントへの一度目の成功率、及び他の測定など大量のデータをネットワーク上に蓄積することができる。また、他の重要な蓄積すべき情報は、停電などの問題に対する顧客の苦情である。
【発明の開示】
【発明が解決しようとする課題】
【０００４】
これらの情報は、全て比較的容易に収集することができるが、それらの情報を有益なやり方で提供することが求められている。特に、ネットワークシステムの管理者が、迫り来る停電を容易に検出することができるように、情報を表示することが重要である。このようにすると、停電を防止する、または停電の影響を最小限に抑えることが可能になる。
【０００５】
停電が起こったとき、その規模（影響を受けた顧客の数）と地理的範囲の両方を知ることが重要である。従来のシステムが行っているような、単なる数字または数値表の表示は、役立ちはするが、必ずしも十分ではない。従来のシステムは、ネットワーク中で何が起こっているかを視覚化することが困難であるという問題を抱えている。例えば、嵐は、短時間にもかかわらず、広範囲に影響を及ぼす。時折送電線にぶつかる木の大枝、送電線上の動物の死骸、または時々過熱する変圧器は、局地的ではあるが長期化するような問題を発生させる。
【０００６】
したがって、管理者にネットワーク全体を管理するための情報を提供するだけでなく、特定の地域において問題に応じてネットワークの一部を保守することに対して責任がある職員に、有益な情報を提供するように情報を表示することが重要である。つまり、様々な情報源から得られた最新データ及び経歴データと、ネットワークに関する関連情報（役立ちそうな情報）とを組み合わせたグラフィック表示を提供することは、管理者やサービススタッフなどにとって有益である。また、問題が発生した場所を強調することが重要である。このようにすると、問題が発生した場所を直ちに認識することができるので、適切な措置を取ることが可能となる。
【０００７】
そこで、本発明の課題は、ユーティリティ事業の管理側にとって有益な情報を容易に認識することができるネットワーク情報のグラフィック表示方法を提供することにある。
【課題を解決するための手段】
【０００８】
本発明は、ネットワーク情報のグラフィック表示方法に関するものである。ネットワークシステムに関する様々な情報源から得られた最新情報と経歴情報は、一緒に表示される。情報は３次元（３Ｄ）地形図状グラフで表示され、配電ネットワークの特定のセクションに情報が提供される。情報は、各位置で現在及び過去の両方に発生した事故の数を含んでいる。表示される情報は、システムの一部に関する情報でよい。または、表示される情報は、システム全体を表示するために、システムのいくつかの部分（または全体）に関する情報を組み合わせた情報であってもよい。
【０００９】
情報は、コンピュータまたはテレビの画面上に表示される。または、プリントアウトしてハードコピーを取ってもよいし、電子通信手段によりユーザ現場の一方から他方へ送信してもよい。
【００１０】
提供された情報を異なる視点から見ることができるように、ディスプレイの表示形態は適宜変更することができる（例えば回転させる）。このようにすると、ユーザは電力配電システムの状態をより良く理解することができる。システム内で何が起こっているかを判断するために役立つ特定の情報を見る者に提供するために、表示される情報には注釈を添付する。このようにすると、管理者が、システム内の問題を復旧するのにどのステップが必要であるかを判断するのに役立つ。または、是正する必要がある慢性的な問題の有無を判断するために、システムのどの部分を調査する必要があるかを判断するのに役立つ。
【００１１】
ディスプレイに表示される情報は、提供された情報を認識するのを容易にするために、色分けされている（グレースケールを使用）、またはカラーである。
【発明の効果】
【００１２】
本発明によれば、ユーティリティ事業者の管理側にとって有益な情報を容易に認識することができるネットワーク情報のグラフィック表示方法を提供することができる。
【発明を実施するための最良の形態】
【００１３】
以下の詳細な説明は、例示によって本発明を説明するものであり、これに限定されるものではない。この説明によって、当業者は疑問の余地なく本発明をなしかつ使用することができるようになるであろう。以下には、本発明の実施例、用途、変形したもの、代替物及び利用法について述べる。本発明の範囲から逸脱することなく種々の改変がなされ得るので、本明細書及び図面において開示される全ての事項は例示として解釈されるべきであり、限定的に捉えてはならない。
【００１４】
図面を参照すると、図１−Ａに配電ネットワークＮが簡単に示されている。ネットワークは通常、発電所ＰＧを含む。発電所ＰＧで作られた電気は、伝送ネットワークＴＮを経由して１若しくは複数の変電所ＳＳへ送られる。各変電所から電気は電線Ｌによって個々の家庭、事務所、商店、工場など（全て一様にＨで示される）に分配される。サービス変圧器ＸＦＭＲは、必要に応じて各使用場所Ｈへの分配電圧を逓減する。ネットワークを保護するために電気スイッチＳ及びヒューズＦなどの保護装置が配電経路に沿って種々のポイントに置かれ得る。これによって、図１−Ａに示されるように、配電線はセグメントＬ１−Ｌ４に分割される。図１−Ｂでは、分岐線または側線４及び５を有する第１の給電線１を有するバスＡが示される。全体で、給電線はこれを線セクション１、２、３、４、５に分割する保護装置を有する。バスＡからの第２の給電線６は線セクション６、７、８、９を含み、バスからの第３の給電線１０は線セクション１１、１２、１３、１４を含む。
【００１５】
便宜上、変電所及び変電所によって制御される配電ネットワークの部分を全配電ネットワークのセグメントとして考えることができる。顧客が期待するような良質のサービスを提供するため、管理、保守及び緊急サービススタッフがネットワーク動作を監視することが重要である。しかし、彼らが監視するネットワークの動作特性は変化し得る。緊急サービススタッフは、例えば、顧客へのサービスを中断するような停電などの差し迫った事態に対応しなければならない。緊急サービススタッフは、可及的速やかに電力を復旧する必要がある。保守スタッフは、差し迫った事態に気付く必要もあるが、ネットワークＮのエリアへのサービスの質に影響するような長期的な問題（それが必ずしも停電を引き起こすものではないが）にも重点的に取り組まなければならない。例えば、或る期間にわたる電線または電線セグメントにおける電力変動は、機器に問題がありかつ位置確認をして機器を交換することが必要であることを暗示している。或いは、短時間の出力急騰または停電は、特に強風の日に木の枝が電線にこするようにして触れているためその位置を確認して枝を刈り込む必要があることを暗示し得る。管理スタッフは、短期及び長期の両方の問題に重点的に取り組む必要があるが、顧客の苦情にも敏感でなければならない。苦情がネットワークの１つのエリアに集中し始めたら、当該問題への対応時間及び問題解決に要する時間に加えて、そのエリアにおける他の示唆と照らして苦情をチェックする必要がある。
【００１６】
問題とその所在の両方を認識するための情報は入手可能である。顧客の苦情は上述のとおり主たる情報源であり、その理由は、電話のあった時間、顧客の所在地、問題の本質を通常含むような通話記録が残されているためである。多くの建物に自動検針装置（ＡＭＲ）が設置されている。そのような自動計測は図２にＲ１からＲＮで示され、施設での電気的使用をリモートサイトで記録できるのみならず、施設での電圧レベル、短時間の停電（通常「点滅」カウント（“blink” count）と呼ばれる）及び長時間の停電（サイトでのＡＭＲからの信号がないことによって証明されるようなもの）に関する情報も提供できる。ＡＭＲが取り付けられた施設との通信は、公知のＴＷＡＣＳ（登録商標）通信システム（双方向自動通信システム）によって行われ得る。他の情報源は、電力レベル及び電力使用に関する情報を固定電話によってまたはＲＦを用いてまたはインターネットによって提供するような特定の位置に取り付けられた電力モニタＰＭを含む。
【００１７】
ネットワークの特定のセグメントに関する入力の全ては、モニタＭに供給される。モニタは、いかなる情報供給源からの情報をも収集し、図２にも示されるセグメントデータプロセッサＳＤＰに供給する。データプロセッサは、データを選別し、報告された問題の記録間隔、位置及び種類によってそれを並べる。プロセッサが仕事を完了すると、結果はセグメント表示ユニットＳＤに供給される。先の報告期間からまたは配電ネットワークの他の部分からの他のデータとの比較を容易にするために、報告される情報が標準化されることを当業者は十分に理解するであろう。
【００１８】
表示ユニットは、多くの機能を実行する。第一に、表示ユニットは、図３−Ａ及び図３−Ｂに示されるような３次元表示形式に情報をアレンジする。これは、ユニットが先の期間にネットワークの同一部分に対して報告された同種の問題の関連情報をデータメモリＤＭから呼び出すことを必要とする。表示ユニットはまた、新たな情報でメモリＤＭを更新するので、この情報が将来の使用に備えてメモリに記憶される。オンサイトまたは遠隔地で行われる場合を含めて多くの方法でデータが記憶され得ることを当業者は十分に理解するであろう。
【００１９】
第二に、ユニットは、図３−Ａ及び図３−Ｂに示されるような３次元表示を示す。表示は、観察者がネットワークセグメント内の各部分で起こっていることを容易に把握することができるので、重要である。観察者は、ｉ）ネットワークセグメント内の運転が許容範囲にあるか否かを判断し、否であれば、ｉｉ）問題がどこで生じているか、そしてｉｉｉ）問題の大きさ（短期的なものか長期的なものか）を判断することができる。
【００２０】
図３−Ａ及び図３−Ｂにおいて、Ｘ軸は配電ネットワークのセグメント内の位置を示す。これは例えば図３−Ａに示されているようなトップノードから開始する線セクション番号であり、トップノードからの第１の線セクション、トップノードからの第２の線セクション等となる。
【００２１】
図３−Ａに示されているように、Ｙ軸は調査対象の値を示す。それが何であるかによって、Ｙ軸上に示される値は、図３−Ｂに示されているような浮動小数点値か整数値のいずれかになり得る。整数値の例は「点滅」カウントである。前者の例は、ＴＷＡＣＳ着信信号強さに対するＳＮ比であり得る。Ｙ軸上に電圧が示されるとき、それは通常「単位当たり」単位である。表示を理解する便宜上、表示は図３−Ｂの右側に示されているように色分けされる。表示は通常カラーコンピュータモニタまたはテレビ画面に示されるので、色分けは（グレースケールを用いようとカラーパレットを用いようと）観察者により容易に理解され得るように視覚的に差異を生じる。
【００２２】
最後に、Ｚ軸は、図３−Ａに示されるような特定の経路または図３−Ｂに示されるような所定の期間（例えば週）をとり得る。図３−Ａに示されるように経路をＺ軸にとれば、時間は第４の次元になる。そのような例では、ユーザは、時間毎に異なるポイントを示す一連の類似の３次元表示を含む動画ループとしてグラフを見ることになる。ここで、本明細書中で述べたように３次元表示を回転させることができる他に、ユーザはループ内をスクロールし、前後に動かしたり特定の表示で停止させたりすることもできる。これは、ユーザが経時変化、特に経時的にゆっくり増加する特定の問題を観察できるようにするために役立つ。
【００２３】
図３−Ａに示されるような表示上にプロットされた種類の情報の例は、図１−Ｂから作成される一連の線セクションであり得る。図１−Ｂから、以下の回路軌跡（circuit trail）即ち｛Ａ，１，２，３｝、｛Ａ，１，２，４｝、｛Ａ，１，５｝、｛Ａ，６，７｝、｛Ａ，６，７，８｝、｛Ａ，６，９｝、｛Ａ，１０，１１，１２｝、｛Ａ，１０，１３｝、｛Ａ，１０，１１，１４｝が可能である。実際問題として、バスＡからのこれらの種々の経路全てに対して作成される値を統合しようとすれば、「弱い」線端の分岐線または側線（２，３，４，５，７，８，９，１１，１２，１３，１４）からの結果を「健全な」主給電線（１，６，１０）に統合することができるので、データはその値を失い始めることになる。本発明の方法を用いて、Ｚ軸を含む経路が以下のように並べられる図３−Ａのモデルを用いた３次元表示が作成されることになる。
【００２４】
経路          シーケンス
１        ｛Ａ，１，２，３｝
２        ｛Ａ，１，２，４｝
３        ｛Ａ，１，５｝
４        ｛Ａ，６，７｝
５        ｛Ａ，６，７，８｝
６        ｛Ａ，６，９｝
７        ｛Ａ，１０，１１，１２｝
８        ｛Ａ，１０，１１，１４｝
９        ｛Ａ，１０，１３｝
グラフが図３−Ｂに示されるようなもの即ちＺ軸が時間を表すものであれば、本発明の範囲から逸脱することなく時間間隔を図に示された週単位より長く（月単位）若しくは短く（日または時間単位）し得ることは当業者であれば理解されよう。
【００２５】
ユニットＳＤによって示される表示は、他の機能も同様に有する。例えば、表示によって表される地形図状のグラフを異なる視点から示すために、表示は回転可能である。これは、ネットワーク運転の種々の側面に興味のある者が自身の責務に関する情報を容易に把握することを可能にする。
【００２６】
例えば、図５−Ａ及び図５−Ｂは、ネットワーク内の特定の線で生じる点滅カウントに関連する３次元表示である。図５−Ａは、線セクション番号によって画定された時間の増分のために集められた点滅カウント（停電）情報を表示する。表示は、線セクション３６６４には解決するために努力が必要な永続的な問題があり、線セクション１２８１及び４２５９が同一期間中にこれらのセクションで結果的にかなりの停電を生じさせるような何かがあったことを管理及びサービススタッフに明らかにする。しかし、これらの発生は、セクション３６６４のサービス条件と比べて独立しているようである。
【００２７】
図５−Ｂは、経時的に点滅カウント情報を表示する点で図５−Ａに類似している。この表示は、しかしながら、２番目に高い点滅カウントを有する線セクションのためのものである。この場合も同様に、管理及び保守スタッフは表示を点検し、回路ブレーカーを作動させるような雷雨、変圧器故障、過負荷状態などの直接的な説明であり得るような独立した事故と同様に永続的な問題が発生しているか判断する。
【００２８】
図３−Ａ、図３−Ｂ、図５−Ａ、図５−Ｂの表示に関し、ネットワークセグメント内の特定の線セクションに対して責任を有する者は、表示を操作することが可能である。図３−Ａに関連して述べたように、表示は、所望の情報を得るために旋回させられ得るような表示ループの部分を含む。この表示及び他の表示に関しては、特定のセクションのより良好な外観を与えるべく回転させられ得る。保守が、予想される永続的問題に関係しているのであれば、特定の条件が運転の許容レベルを超えるようなネットワークセグメント内のエリアに集中し得るように表示の向きを変えることを望むだろう。
【００２９】
表示はまた、図３−Ｂに示されるような稲妻ＬＢなどの記号を含む。そのような記号の使用は、或る種の条件がなぜそのように表されるかを説明する簡略化した方法を提供する。従って、稲妻は、最新の報告があった週に線セクション２０−２５に沿って発生した事故の増分量が結果であることを示す。表示を見る者は、何が起きたかのみならず何故それが起こったのかも容易に理解し得る。同様に、図３−Ｂに示される逆三角形Ｔは、電線を壊して一時的な問題を生じさせるような倒れた木の枝などの問題であって修復されたものを示し得る。地形図状のグラフの総合的な機能は公益事業によって供給されるサービスを図解することであるので、上記及び他の記号は、管理及びサービススタッフが質の向上を可能にするように短期及び長期の両方の事故に焦点を合せる助けになる。
【００３０】
図３−Ａ、図３−Ｂ、図５−Ａ、図５−Ｂに示される表示は、地方から本社へ例えば電子媒体を経由して伝達され得る。或いは、表示は、然るべきスタッフが使用できるように電子媒体に記憶するかまたはプリントアウトしてハードコピーを作成することができる。
【００３１】
図２及び図４を参照すると、地方サイトで処理された情報及び／またはセグメント表示ＳＤは、全体ネットワーク表示ＮＤを提供するために他の類似の提示と共に用いられ得る。セグメントデータプロセッサＳＤＰからの出力は、ネットワークデータプロセッサＮＤＰへ送信され得る。そこで、結果は、他のセグメントデータプロセッサからのものと結合され、ネットワーク表示ＮＤに表示される複合結果を生成する。表示は、例えば表示のＸ軸が各期間の各ネットワークセグメントに対する事故を表すことを除き、図３−Ｂに示されるものと同様である。
【００３２】
しばしば各セグメントに対する個々の表示ＳＤ１−ＳＤｎは、個々に見られるように中央サイトへ伝送され、それによってネットワーク動作のセクション毎（section by section）の図が管理者の元に得られる。個々のセクション表示と全体システム表示ＮＤとの結合は、ネットワークセグメントによるサービスの質の低下のみならずネットワーク全体のサービスの概要を与える。そして管理は、サービスの弱いエリアがネットワークの１つまたは２つのセグメントからの結果を反映しているか（それによってこれらのセグメントに関連する特定の問題が扱われ得るように）、または認識されかつ是正される必要があるネットワーク内の統計的問題があるかを判断し得る。再び、ネットワーク表示は、後で参照するために電子媒体に記憶され得る。
【００３３】
サービスの質を示す地形図状のグラフ及びその作成方法に関し、ここまでの説明は電気事業に関連するものであった。当業者であれば、サービスの表示ＳＤが本発明の範囲から逸脱することなく他の公共設備を含む他の事業に対しても生成され得ることを十分に理解するであろう。各々の例において、表示の目的はサービスの概要を提供し、サービスに影響するような短期及び長期の両方の問題を識別することである。
【００３４】
上記を考慮すると、本発明の幾つかの目的及び利点が達成され、他の有利な結果が得られていることが理解されよう。
【図面の簡単な説明】
【００３５】
【図１−Ａ】配電系統のセグメントを単純化して示した図である。
【図１−Ｂ】所与のバスからの回路全体を単純化して示した図である。
【図２】本発明の方法を説明する単純化されたブロック線図である。
【図３−Ａ】本発明の方法を用いて作成される３次元表示モデルである。
【図３−Ｂ】そのようなグラフィック表示の例である。
【図４】中央端末へのネットワークの種々のセグメントに対して別々のグラフィック表示を与えてネットワーク全体に対する一連のグラフィック表示を提供することを説明する図である。
【図５−Ａ】公益事業のための他の３次元表示を示す図である。
【図５−Ｂ】公益事業のための他の３次元表示を示す図である。
【符号の説明】
【００３６】
１、２、３、４、５、６、７、８、９、１０、１１、１２、１３、１４  線セクション
【図１−Ａ】
2005073492.tif 000003
【図１−Ｂ】
2005073492.tif 000004
【図２】
2005073492.tif 000005
【図３−Ａ】
2005073492.tif 000006
【図３−Ｂ】
2005073492.tif 000007
【図４】
2005073492.tif 000008
【図５−Ａ】
2005073492.tif 000009
【図５−Ｂ】
2005073492.tif 000010